(57)【特許請求の範囲】
【請求項１】
上下方向に細長い容器体１の口頸部外面に嵌合させた装着筒３上端から容器体１内へポンプ機構を垂設すると共に、該機構が有する筒状ピストンから上方付勢させてステム６を起立し、該ステムを介してピストンを上下動させることで、容器体内液体をポンプ内へ吸い上げ、かつ、上記ステム上端から吐出するように設けた吐出容器において、前記ステム６外面に下端部を嵌着させて、細長のノズル筒８を起立すると共に、該ノズル筒８の下部に外向きフランジ９を付設して該外向きフランジの左右両部から補助壁11、11を起立するとともに、少なくとも一つの押上げ板14の下端部を、それら補助壁11,11に対してこれら両壁間に嵌合させて起伏自在に枢着し、更に、該押下げ板を外側へ倒したときに、押下げ板の下端部外面が外向きフランジ９の上面に係合することで上記押下げ板14の水平状態を保持するように構成したことを特徴とする、携帯用液体吐出器。
【請求項２】
前記押下げ板14は、上記ノズル筒８側面へ嵌合可能に形成した半管状部15の下端面の左右両部からそれぞれ脚板16,16を垂下してなり、これら脚板を前記両補助壁の各内面へそれぞれ枢着させ、該枢着部17を中心とする回動により押下げ板を倒伏させたときに、上記半管状部15の下部外面が外向きフランジ９上面に係合するように構成したことを特徴とする、請求項１記載の携帯用液体吐出容器。
【請求項３】
前記外向きフランジ９の外周部から外周壁10を垂下し、該外周壁内面を、前記装着筒３上端から起立した案内筒７の外面に嵌合させたことを特徴とする、請求項２記載の携帯用液体吐出容器。
【請求項４】
前記補助壁11、11を前後方向へ長く設けるとともに、これら補助壁の各前端間及び後端間に下端部を嵌合させて前後一対の押下げ板14、14を起立し、これら両押下げ板をそれぞれ外方へ倒したときに、上記外向きフランジ９の前後両部上面に各押下げ板14の下端部外面が係合するように構成したことを特徴する、請求項１記載の携帯用液体吐出容器。
【発明の詳細な説明】
【０００１】
【発明の属する技術分野】
本願発明は、点鼻剤、喉荒れ防止剤、消口臭剤等の各種液剤に使用される携帯用液体吐出容器に係る。
【０００２】
【従来の技術】
【発明が解決しようとする課題】
例えば、点鼻剤容器では、寸胴形の容器体の口頸部内から起立する吐出管付きのノズル筒先端を鼻腔内へ入れて容器体を圧搾すると、液体をノズルから吐出するものが市販されている。
【０００３】
しかし、寸胴形のものは、例えば洋服のポケットに入れて持ち歩くときには嵩張り過ぎて不便であり、ペンシル形等のスリムな細身容器が要望されている。
【０００４】
他方、該細身容器としては、細長い容器体の口頚部にポンプ機構を内装し、該機構が有するピストン上面からステムを介して上方突設した押下げヘッドの側面にノズル孔を穿設したものも、市販されている。しかし、該容器を点鼻剤収納に用いた場合、前記押下げヘッドを容器体上方へ配置したために、前述の如く口頸部から起立した鼻腔挿入用ノズル筒を設けることができず、例えば鼻孔とノズル孔との位置合わせが面倒となるという不都合がある。
【０００５】
そこで、本願発明は、細長い容器体口部から細長いノズル筒を起立する携帯用の細身容器であって、そのスリムな外形を損なうことなく、ピストン押下げ手段を確保するために、前記ノズル筒下部外面に押下げ板を起伏自在に付設した液体吐出容器を提供することを目的とする。
【０００６】
【課題を解決するための手段】
第１の手段は、上下方向に細長い容器体１の口頸部外面に嵌合させた装着筒３上端から容器体１内へポンプ機構を垂設すると共に、該機構が有する筒状ピストンから上方付勢させてステム６を起立し、該ステムを介してピストンを上下動させることで、容器体内液体をポンプ内へ吸い上げ、かつ、上記ステム上端から吐出するように設けた吐出容器において、前記ステム６外面に下端部を嵌着させて、細長のノズル筒８を起立すると共に、該ノズル筒８の下部に外向きフランジ９を付設して該外向きフランジの左右両部から補助壁11、11を起立するとともに、少なくとも一つの押上げ板14の下端部を、それら補助壁11,11に対してこれら両壁間に嵌合させて起伏自在に枢着し、更に、該押下げ板を外側へ倒したときに、押下げ板の下端部外面が外向きフランジ９の上面に係合することで上記押下げ板14の水平状態を保持するように構成している。
【０００７】
第２の手段は、第1の手段を有し、かつ前記押下げ板14は、上記ノズル筒８側面へ嵌合可能に形成した半管状部15の下端面の左右両部からそれぞれ脚板16,16を垂下してなり、これら脚板を前記両補助壁の各内面へそれぞれ枢着させ、該枢着部17を中心とする回動により押下げ板を倒伏させたときに、上記半管状部15の下部外面が外向きフランジ９上面に係合するように構成している。
【０００８】
第３の手段は、第２の手段を有し、かつ前記外向きフランジ９の外周部から外周壁10を垂下し、該外周壁内面を、前記装着筒３上端から起立した案内筒７の外面に嵌合させている。
【０００９】
第４の手段は、第１の手段を有し、かつ前記補助壁11、11を前後方向へ長く設けるとともに、これら補助壁の各前端間及び後端間に下端部を嵌合させて前後一対の押下げ板14、14を起立し、これら両押下げ板をそれぞれ外方へ倒したときに、上記外向きフランジ９の前後両部上面に各押下げ板14の下端部外面が係合するように構成している。
【００１０】
【発明の実施の形態】
まず、図１から図５に基づいて、本願発明の第１の実施形態を説明する。
【００１１】
１は、上下方向に細長い容器体であり、胴部２から肩部を介して口頸部（図示せず）を起立している。
【００１２】
該容器体内には、従来公知のポンプ機構が内装されている。該ポンプ機構は、前記口頸部外面に着脱自在に嵌合させた装着筒３上端から内向きフランジ４を介して容器体内へポンプシリンダ（図示せず）を垂設し、該ポンプシリンダ内に上方付勢状態で嵌挿した筒状ピストンからステム６を起立し、該ステムを介してピストンを上下動させることで、容器体１内液体をポンプシリンダ内へ吸い上げ、かつ、ステム上端から吐出するように構成している。尚、上記内向きフランジ４上面からは、案内筒７を起立すると良い。
【００１３】
前記ステム６の外面へは、ノズル筒８下部を嵌着させている。該ノズル筒は、例えば鼻腔内への挿入可能な外径を有する細身のものとし、又、後述押下げ板の押下げにより筒壁が屈折しないような所要の剛性を有する。
【００１４】
ノズル筒８の下部外面には、後述の押下げ板載置用の外向きフランジ９を付設すると良い。尚、図示例では、外向きフランジ外周部から垂下した外周壁10を、前記案内筒７外面に嵌合させることで、押下げ板を押し下げたときにノズルが傾斜しないように設けている。又、外向きフランジ９の上面左右両縁部からは、図４が示すように、前後方向に偏平な一対の補助壁11、11を起立する。これら両補助壁の上部には、軸受孔12、12を穿設している。各補助壁内面には、図３に示す如く、前記軸受孔から補助壁後縁へ後述短軸嵌挿用のガイド溝13を横設すると良い。
【００１５】
前記ノズル筒８の下部外面には、押下げ板14を起伏自在に付設する。該押下げ板は、図４に示す如く、ノズル筒後面へ嵌合可能な半管状部15を有し、かつ、該半管状部の下端面左右両部から脚板16を垂下して成る。これら脚板は、該板外面から突設する短軸16ａを、前記補助壁の軸受孔12内へ嵌合させることで、補助壁11に枢着され（図３参照）、該枢着部を中心に押下げ板14を起伏自在とする。しかし、これら脚板は、例えば、ノズル筒の左右外面から突設した短軸を、脚板に穿設した軸受孔内に嵌合させることで、ノズル筒８外面に直接付設させても良い。
【００１６】
前記ノズル筒８及び押下げ板14には、該押下げ板の倒伏状態にあって、該倒伏時における押下げ板の水平状態を保持する係合手段18を設け、倒伏状態にある押下げ板の上面押下げにより前述ピストンが下降するように構成する。前記係合手段は、図１に二点破線で示す如く、前記倒伏状態で相互に接する外向きフランジ９後部上面と、前記半管状部15の下部外面とで形成することができる。
【００１７】
又、装着筒３の外面には、細長い有底筒状のキャップ19の下端部を着脱自在に嵌合させると良い。
【００１８】
尚、前述の容器体１、ノズル筒８、押下げ板14、及び、キャップ19は、各々、合成樹脂材で一体成形することができる。
【００１９】
上記構成において、図１においては、押下げ板14は、ノズル筒８後面への半管状部15の嵌合により起立状態を維持している。該状態から、キャップ19を外し、次に、半管状部上端を摘んで図４の如く後下方に引くと、枢着部17を中心に押下げ板14が倒伏する。該状態において、図１の如く、外向きフランジ９上面と半管状部15下部外面とが相互に係合し、該半管状部の倒伏状態での上面を指で押し下げると、ピストン５が下降し、かつ、ステム６上端を介してノズル筒８上面から液体が吐出される。次に、半管状部15を押し上げて、ノズル筒後面へ嵌合させ、又、容器体上部にキャップを嵌合すると、図１状態へ戻る。
【００２０】
次に、図６及び図７は、本願発明の第２の実施形態を示している。該形態は、前述の第１実施形態の押下げ板14に、該押下げ板回動止め用突起20を付設したものであり、それ以外の構成は第１実施形態のものと同じである。上記突起20は、前記半管状部15の左右両側部の外面下端部から突設され、図６の押下げ板起立状態では、補助壁11上端面に当接し、又、図７の水平状態では、ガイド溝13の内壁上面に当接することで、それら起立状態及び水平状態を保持している。
【００２１】
更に、図８及び図９は、本願発明の第３の実施形態を示している。
【００２２】
該実施形態は、ノズル筒８の前後両側へ、前後一対の平板状の押下げ板14、14を付設した構造に関する。該構造とするため、前記ノズル筒８には、長方形状に形成した外向きフランジ９を設け、該フランジの上面左右両縁部から、前記長方形の左右両辺と同一の前後巾を有する一対の補助壁11、11を起立している。これら補助壁の各前端部及び後端部間には、各押下げ板の下端部をそれぞれ嵌合させると共に、該下端部左右外縁から突設した短軸16ａを、両補助壁内面に穿設した軸受孔12内へ枢着させ、これら枢着部17…を中心に、両押下げ板が上方及び前後方向側外方の間を起伏可能に設ける。又、図示例では、該押下げ板の倒伏時に相互に当接する押下げ板の下部外面と外向きフランジ９の上面とで、押下げ板14の水平状態を保持する係合手段18を形成している。
【００２３】
外向きフランジ９の前後両壁部上面には、押下げ板の倒伏状態を十分に維持できる程度に押下げ板下部外面との当接代（該外面との当接範囲の前後巾）を大きくとる必要がある。もっとも、該当接代の確保のために外向きフランジ９の前後巾を徒に大きくすると、スリムな外形という本願容器の特長を損なう。そこで、図示例では、前記押下げ板14、14をノズル筒８の前後両面に沿って起立させることで、一定の外向きフランジ９の前後巾に対して当接代を大としている。
【００２４】
尚、該外向きフランジ９の外面からは、四角筒状の外周壁が垂下されており、その他の構造は、第１実施形態のものと同じである
【００２５】
【発明の効果】
本願発明は、既述構成のものであり、特に第１の手段に係る発明によれば、次の効果を奏する。
○本願発明に係る容器は、上下方向に細長い容器体１のポンプ機構から細長いノズル筒８を起立し、該筒下部の外面に押下げ板14を起伏自在に付設したから、該板の起立状態で上下に長い細身の容器形状となるので、既述寸胴形容器の如く嵩張ることなく、特に、小物入れに口紅容器等他の細身容器と共にコンパクトに保管したり、又、洋服のポケットに入れて持ち運ぶことができて便利である。
○又、本願容器には、押下げ板14の倒伏時の水平状態を保持するように押下げ板下端部外面が外向きフランジ９上面に係合可能に設けたから、既述他の従来容器の如く押下げヘッドを用いずに、前記水平状態の押下げ板を介してピストンを押下げることができ、従って、容器の上部を、前記押下げヘッドに代えて、鼻腔又は口腔内への挿入用ノズルに形成できるので、該ノズルを用いて鼻腔等へ液剤を的確かつ容易に吐出することが可能となる。
【００２６】
又、第１の実施形態に対応する第２の手段に係る発明によれば、次の効果を奏する。
○押下げ板14は、ノズル筒８後面外面へ嵌合可能な半管状部15を有するから、前記嵌合により起立状態が維持され、例えば、保管場所からの取出しの際に、側外方へ倒伏した押下げ板14が他物に引っ掛かる等の不都合を回避できる。
○枢着部を中心とする回動により押下げ板14を倒伏させたときに、半管状部15下部外面外向きフランジ９上面に係合するように形成したから、簡易な構造で確実に押下げ板を水平状態に係止させることができる。
【００２７】
又、第３の手段に係る発明によれば、外向きフランジ９外周部から垂下する外周壁10を、装着筒３上端から起立した案内筒７外面へ嵌合させたから、前記押下げ板14をノズル筒８後方へ倒して押し下げたときに該ノズル筒が後方側へ撓もうとするのを、前記外周壁後壁部と案内筒後壁との当接によって抑制し、前記撓みによるノズル先端のブレを軽減することができる。
【００２８】
又、本願発明の第３実施形態に対応する第４の手段に係る発明によれば、外向きフランジ９の左右両部から起立する補助壁11、11の内面に、前後一対の押下げ板14、14の下端部を枢着させたから、これら両押下げ板を前後方向側外方へ倒すことで、押下げ板への押圧力をノズルの前後両側へ分散することができ、第３の手段において述べたノズル筒の撓みによるノズル先端のブレ等を、より確実に解消できる。
【図面の簡単な説明】
【図１】  本願発明の第１実施形態による容器の要部縦断面図である。
【図２】  図１のＡ−Ａ線を矢示方向に見た横断面図である。
【図３】  図１のＢ−Ｂ線を矢示方向に見た横断面図である。
【図４】  図１の容器の使用前の状態を示す斜視図である。
【図５】  図１の容器の使用時の状態を示す斜視図である。
【図６】  本願発明の第２の実施形態による容器の使用状態を示す斜視図である。
【図７】  図６の容器の使用時の状態を示す斜視図である。
【図８】  本願発明の第３の実施形態による容器の使用前の状態を示す斜視図である。
【図９】  図８の容器の使用時の状態を示す斜視図である。
【符号の説明】
１…容器体                      ２…胴部
３…装着筒                      ４…内向きフランジ
６…ステム
７…案内筒                      ８…ノズル筒
９…外向きフランジ              10…外周壁
11…補助壁                      12…軸受孔
13…ガイド溝                    14…押下げ板
15…半管状部                    16…脚板
16ａ…短軸                      17…枢着部
18…係合手段                    19…キャップ
20…押下げ板回動止め用突起
【図１】
0003808238.tif 000002
【図２】
0003808238.tif 000003
【図３】
0003808238.tif 000004
【図４】
0003808238.tif 000005
【図５】
0003808238.tif 000006
【図６】
0003808238.tif 000007
【図７】
0003808238.tif 000008
【図８】
0003808238.tif 000009
【図９】
0003808238.tif 000010